(57)【要約】【課題】  洋服、和服、マフラー、毛布等の埃、糸くず、毛髪、花粉等を、一本のブラシでブラッシングすることにより確実に除去することができるようにすることにある。【解決手段】  ブレード３面を斜めに二分割し、一方分割面に比較的剛質のブラシ毛４群を植毛形成すると共に他方分割面に比較的柔質のブラシ毛５群を植毛形成した構成で、剛質のブラシ毛４群によりブラッシングして、スーツやコート等に付着した埃や花粉等を除去し、柔質のブラシ毛５群によりブラッシングして、シルクやカシミヤのようなデリケートな素材に付着した埃等を除去する。ブラシ毛は、根元が太く、先端の細い毛を反転折り曲げして植毛形成され、比較的剛質のブラシ毛４群は毛の中央で折り返して植毛形成し、比較的柔質のブラシ毛５群は毛の中央より根元側で折り返して、先端を根元端より突出させて植毛形成する形態でも良い。【選択図】        図１
0003147427.tif 000002
【実用新案登録請求の範囲】
【請求項１】
ブレード（３）面を斜めに二分割し、一方分割面に比較的剛質のブラシ毛（４）群を植毛形成すると共に、他方分割面に比較的柔質のブラシ毛（５）群を植毛形成したことを特徴とするブラシ。
【請求項２】
ブレード（３）面に、根元が太く、先端の細い毛を反転折り曲げして植毛形成されるブラシ毛群にあって、前記ブレード（３）面を斜めに二分割し、一方分割面に植毛されるブラシ毛（４）群を毛の中央で折り返して形成すると共に、他方分割面に植毛されるブラシ毛（５）群を毛の中央より根元側で折り返して、先端を根元端より突出させて形成したことを特徴とするブラシ。
【考案の詳細な説明】
【技術分野】
【０００１】
本考案はブラシに関する。
【背景技術】
【０００２】
洋服、和服、マフラー、毛布等の手入れは、ブラシによるブラッシングが不可欠であり、埃、糸くず、毛髪、花粉等の除去は、単に洋服等の寿命を延ばし、体裁を整え、保温等の効果を得るばかりでなく、健康を維持するためにも丹念に行わなければならない。従来、洋服ブラシとしては、以下の考案が提案されている。
【特許文献１】実開平５−９１４３７号公報
【考案の開示】
【考案が解決しようとする課題】
【０００３】
上記特許文献１の考案は、短毛の向きをブラシ部の中心に互いにむき合わせた構成で、左右いずれの方向からブラッシングしてもゴミ等を取り除くことができるとするものであるが、生地の素材に対応したものではない。
【０００４】
洋服、和服、マフラー、毛布等は、夫々が素材も異なり、或いは異素材の組み合わせであり、更には織り方も異なるので、一種類のブラシではその全てに対応することはできない。即ち、夫々の対象衣服等及び対象素材に対応させて複数のブラシを用意し、しかも使い分けなければならないのである。
【０００５】
しかしながら、このような対処では、複数のブラシを用意する手間やコストがかかり、使い分けが難しい等の不便さがあった。
【０００６】
よって本考案は、この従来の不満点を解消し要求に応えるべく考案されたブラシであって、単体でありながら、あらゆる対象衣服等及び対象素材に対応してブラッシングができるようにすることを目的とする。
【課題を解決するための手段】
【０００７】
上記課題を解決するため本考案は、ブレード面を斜めに二分割し、一方分割面に比較的剛質のブラシ毛群を植毛形成すると共に他方分割面に比較的柔質のブラシ毛群を植毛形成したことを特徴とする構成である。
【０００８】
また、請求項２にかかる本考案のブラシは、ブレード面に、根元が太く、先端の細い毛を反転折り曲げして植毛形成されるブラシ毛群にあって、前記したブレード面を斜めに二分割し、一方分割面に植毛されるブラシ毛群を毛の中央で折り返して形成すると共に、他方分割面に植毛されるブラシ毛群を毛の中央より根元側で折り返して、先端を根元端より突出させて形成したことを特徴とする構成とする。
【考案の効果】
【０００９】
本考案のブラシは上述したような構成であるので、通常のブラッシングにより、比較的剛質のブラシ毛群ではスーツやコート、セーター、フリース等に付着した埃や花粉、糸くず等を確実に除去することができ、比較的柔質のブラシ毛群ではシルクやカシミヤのようなデリケートな素材に付着した埃等を、或いは洋服に付属しているアクセサリーとしてのコサージュやベルトに付着した埃等までをも確実に除去することができる。
【００１０】
請求項１にかかる本考案のブラシは、剛質のブラシ毛群と軟質のブラシ毛群を斜めに二分割したブレード面に植毛されており、一本のブラシで、剛質毛と柔質毛とを使い分けすることができ、或いは双方の同時使用ができる。
【００１１】
請求項２にかかるブラシ毛群は、根元が太く、先端の細い毛を反転折り曲げして植毛形成されるが、比較的剛質のブラシ毛群は毛の中央で折り返して植毛形成するため、太い根元部分で剛質性が或る程度確保され、比較的軟質のブラシ毛群は中央より根元側で折り返して、先端を根元端より突出させて植毛形成するため、毛の先端と根元端とに段差が形成されるので、触感が柔らかく感じられる。即ち、同一の毛素材を使用しながらも、折り返しの程度により剛質性と柔軟性とを得ることができる。
【００１２】
よって、本考案のブラシによれば、全てのブラシ毛の先端を衣服等に均等に押し当ててブラッシングすることにより、剛質毛と軟質毛の双方の利点効用を、一度の操作或いは交換することなくひとつのブラシ単体で行うことができる。そして、本考案のブラシによるブラッシングでは、単に埃等を除去するだけでなく、生地の風合いをよみがえらせ、適度の起毛を促すことにより、高級感や防寒効果を高め、新品と同様の状態に復帰させることが可能である。
【考案を実施するための最良の形態】
【００１３】
本考案のブラシ1は、略長円形或いは扁平な略楕円形状の握り部２に、それよりも大きい同じく略長円形或いは扁平な略楕円形状のブレード３を連続形成した細板形状の構成で、ブレード３面を長さ方向に沿って斜めに二分割し、先端側のこの一方の分割面に比較的剛質のブラシ毛４群を植毛形成すると共に、握り部２側の他方の分割面に比較的柔質のブラシ毛５群を植毛形成したものである。
【００１４】
剛質のブラシ毛４は太い素材を用い、柔質のブラシ毛５は細い素材を用いるが、毛の素材は豚毛である。図３に示すように豚毛は馬毛に較べて枝毛等があり、毛先がまちまちであるため、様々な埃、花粉等を掻き出して除去することができる。
【００１５】
また、ブラシ毛の剛質と柔質とは上記したように太さの相違によって選択することも可能であるが、ブラシ毛群の形成形態によっても実現することができる。即ち、根元が太く、先端の細い毛を反転折り曲げしてブラシ毛群を植毛形成する際に、比較的剛質のブラシ毛４群は図４（ａ）に示す如く毛の中央で折り返して植毛形成することにより、毛の先端と根元端とを面一にすれば比較的剛質となる。
【００１６】
これに対して比較的柔質のブラシ毛５群は図４（ｂ）に示す如く毛の中央より根元側で折り返して１／２以下とし、先端を根元端より突出させて（根元端が先端より下位に位置して）植毛形成することにより、毛の先端と根元端とに段差が形成されるので、比較的柔質となる。
【００１７】
図２にあって、主として剛質のブラシ毛４群を衣服等に押し当てて、扁平な略楕円形状のブレード３の短径方向である矢視Ａ方向にブラッシングして、スーツやコート等に付着した埃や花粉等を除去し、主として柔質のブラシ毛５群を衣服等に押し当てて扁平な略楕円形状のブレード３の短径方向である逆の矢視Ｂ方向にブラッシングして、シルクやカシミヤのようなデリケートな素材に付着した埃等を除去することになる。
【００１８】
そして、ブラシ毛４群、ブラシ毛５群の全ての毛先を衣服等に均等に押し当てて、扁平な略楕円形状のブレード３の長径方向である矢視Ｃ先端方向にブラッシングすると、剛質のブラシ毛４群で掻き出した埃等を柔質のブラシ毛５群で更に掬い上げる如くして除去することができ、また、矢視Ｄ基端方向にブラッシングすると、柔質のブラシ毛５群で表面の埃等を除去し、剛質のブラシ毛４群で深部の埃等を掻き出して除去することができる。
【００１９】
即ち本考案では、握り部２を把持して手首を左右前後に振るだけで、洋服、和服、マフラー、毛布等の埃、糸くず、毛髪、花粉等を一本のブラシで確実に除去することができる。
【図面の簡単な説明】
【００２０】
【図１】本考案のブラシの斜視図である。
【図２】本考案のブラシの平面図である。
【図３】ブラシの拡大図である。
【図４】ブラシ単体の拡大図である。
【符号の説明】
【００２１】
１    ブラシ
２    握り部
３    ブレード
４    剛質のブラシ毛
５    柔質のブラシ毛
【図１】
0003147427.tif 000003
【図２】
0003147427.tif 000004
【図３】
0003147427.tif 000005
【図４】
0003147427.tif 000006